(57)【特許請求の範囲】
【請求項１】
視聴中のデジタル放送番組の放送局からの受信信号から得られる各種情報に基づき、前記視聴中の番組の放送局からの弱階層または強階層の送出信号を受信することが現状で不可状態または実質的に不可状態になったことを検出して受信不可通知を出力する受信不可検出部と、
複数の放送局のチャンネル情報を記憶し、前記複数の放送局のチャンネル情報のうち、前記視聴中の番組の放送局とは送信周波数の異なる系列放送局のチャンネル情報またはＭＦＮのチャンネル情報については前記視聴中の番組の放送局のチャンネル情報と系列関係であるように関連付けて記憶する系列局記憶部と、
前記系列局記憶部のチャンネル情報を参照して選局候補を絞り込み、前記受信不可検出部から受信不可通知を受信して選局した放送局からの強階層の送出信号が受信不可能と判断した場合に、前記選局候補の中からサーチする選局制御部と、
前記視聴中の番組のコンテンツ内容の切り替わりを検出した際に、前記選局制御部にコンテンツ切り替わり検出通知を出力するコンテンツ切り替わり検出部とを備え、
前記選局制御部は、前記視聴中の番組が強階層の送出信号からのデジタル放送番組である場合、前記コンテンツ切り替わり検出部からの前記コンテンツ切り替わり検出通知を受信したら、前記選局候補のうち前記視聴中の番組の放送局と系列関係のある前記系列局の弱階層の送出信号または前記ＭＦＮの弱階層の送出信号を優先してサーチを行う
ことを特徴とするデジタル放送受信装置。
【請求項２】
前記選局制御部は、前記系列局記憶部に前記視聴中の番組の放送局と系列関係であるように関連付けられた前記系列局または前記ＭＦＮのチャンネル情報がない場合は、
受信可能と判断した放送局の番組のａｆｆｉｌｉａｔｉｏｎ＿ｉｄの値が前記視聴中の番組のａｆｆｉｌｉａｔｉｏｎ＿ｉｄの値と同一であればサーチを終了し、
受信可能と判断した放送局の番組のａｆｆｉｌｉａｔｉｏｎ＿ｉｄの値が前記視聴中の番組のａｆｆｉｌｉａｔｉｏｎ＿ｉｄの値と異なるときは前記選局候補のうち他の放送局をサーチする
ことを特徴とする請求項１に記載のデジタル放送受信装置。
【請求項３】
受信中の現在位置を検出する現在位置検出部を備え、
前記系列局記憶部は、それぞれの放送局の送信所から前記現在位置までの距離及び送信電力に応じて付けた選局優先度をそれぞれの放送局のチャンネル情報とともに記憶し、
前記選局制御部は、前記系列局記憶部に記録されたチャンネル情報のうち前記現在位置で受信の可能性の高いもののみに選局候補を絞り込み、前記選局優先度に基づいてサーチを行う
ことを特徴とする請求項１または請求項２に記載のデジタル放送受信装置。
【請求項４】
前記コンテンツ切り替わり検出部は、前記選局制御部にタイムアウト通知を出力するものであって、
前記選局制御部は、前記タイムアウト通知を受信したら前記サーチを強制終了して前記視聴中の放送局の強階層の送出信号からのデジタル放送番組に戻る
ことを特徴とする請求項１から請求項３のいずれか１項に記載のデジタル放送受信装置。
【発明の詳細な説明】
【技術分野】
【０００１】
本発明は、移動体に搭載されてデジタル放送を受信して復号するデジタル放送受信装置に関し、特に受信中の放送局の番組の受信状態が悪化した時に系列放送局をチャンネルサーチするデジタル放送受信装置に関する。
【背景技術】
【０００２】
従来の移動体に搭載するデジタル放送受信装置では、高品質の番組を伝送する階層（以降弱階層）の送出信号の受信状態が低下すると、低品質の番組を伝送する階層（以降強階層）の送出信号を受信するように自動で切り替え、もとの弱階層の送出信号の受信状態が改善すると弱階層の送出信号を受信することが知られている（例えば、特許文献１；請求項１）。
【特許文献１】特開２００５−２７７８７３号公報（請求項１、第２図）
【発明の開示】
【発明が解決しようとする課題】
【０００３】
しかしながら、強階層の送出信号を受信できる範囲は一般に弱階層の送出信号を受信できる範囲よりも広いので、デジタル放送受信装置が移動することにより、受信している信号を送信している所から離れていく場合、強階層の送出信号を受信できる範囲から移動前に受信していた弱階層の送出信号を受信できる範囲に戻ることはない。従って、強階層の送出信号を受信できなくなったことを検出し、自動で系列局をサーチし、送出信号を受信できる局に切り替えることで、同一番組を継続して視聴できるようにすることが考えられる。上記手法の場合、現在受信している放送局と隣接する系列局からの送出信号を受信できる範囲とが重複していると、系列局の弱階層の送出信号を受信できる状態であっても、強階層の送出信号を受信できなくなるまで他の送出信号の受信に自動切り替えを行わないので、視聴者は強階層の送出信号で低品質の番組（強階層の送出信号）の視聴を強いられていた。また、視聴者が、系列放送局の弱階層の送出信号を受信できるエリアであることを知っていたとしても手動で選局し直す必要があった。
【課題を解決するための手段】
【０００４】
本発明のデジタル放送受信装置は、視聴中のデジタル放送番組の放送局からの受信信号から得られる各種情報に基づき、前記視聴中の番組の放送局からの弱階層または強階層の送出信号を受信することが現状で不可状態または実質的に不可状態になったことを検出して受信不可通知を出力する受信不可検出部と、複数の放送局のチャンネル情報を記憶し、前記複数の放送局のチャンネル情報のうち、前記視聴中の番組の放送局とは送信周波数の異なる系列放送局のチャンネル情報またはＭＦＮのチャンネル情報については前記視聴中の番組の放送局のチャンネル情報と系列関係であるように関連付けて記憶する系列局記憶部と、前記系列局記憶部のチャンネル情報を参照して選局候補を絞り込み、前記受信不可検出部から受信不可通知を受信して選局した放送局からの強階層の送出信号が受信不可能と判断した場合に、前記選局候補の中からサーチする選局制御部と、前記視聴中の番組のコンテンツ内容の切り替わりを検出した際に、前記選局制御部にコンテンツ切り替わり検出通知を出力するコンテンツ切り替わり検出部とを備え、前記選局制御部は、前記視聴中の番組が強階層の送出信号からのデジタル放送番組である場合、前記コンテンツ切り替わり検出部からの前記コンテンツ切り替わり検出通知を受信したら、前記選局候補のうち前記視聴中の番組の放送局と系列関係のある前記系列局の弱階層の送出信号または前記ＭＦＮの弱階層の送出信号を優先してサーチを行うことを特徴とするものである。
【発明の効果】
【０００５】
本発明では、コンテンツの内容の変化を検出することにより、それまで視聴していたチャンネルと別チャンネルの系列局又はＭＦＮ（Ｍｕｌｔｉ―Ｆｒｅｑｕｅｎｃｙ  Ｎｅｔｗｏｒｋ）のトランスポートストリームを選局するようにしたので、ユーザに番組の強制中断による不快感を与えずに、同一番組に切り替えることができる。
【発明を実施するための最良の形態】
【０００６】
実施の形態１．
図１は、この発明の実施の形態１に係るデジタル放送受信機の概略の内部構成を示すブロック図である。図１においてチューナ部１０は、放送局から送出された放送信号をアンテナで受信した信号が入力され、選局を行う。又、チューナ部１０は、後述する選局制御部１７からの指示出力によりチャンネルサーチして検出された放送局又は入力手段により指定された放送局からのデジタル放送番組の受信信号を受信して選局すると共に、ＰＬＬロック情報を受信不可検出部１６へ出力する。復調部１１は、復調、誤り訂正を実施し、ＴＳ（トランスポートストリーム）をデマルチプレクス部１２へ出力する。また、その番組の受信信号の受信レベル情報、受信Ｃ／Ｎ比情報、フレームロック情報、誤り率の各種情報のうちから少なくとも一つを受信不可検出部１６へ出力する。
【０００７】
なお、チューナ部１０、復調部１１のいずれか、または両方については、本受信機を移動体用として使用する場合等では、複数のアンテナ出力を複数のチューナ部でそれぞれ受信するダイバーシティ構成のものであってもよい。一方、本受信機を家庭用の固定受信機として使用する場合等では、チューナ部１０、復調部１１はそれぞれ一つのアンテナ出力を一つのチューナ部で受信するものであってもよい。
【０００８】
デマルチプレクス部１２は、入力するＴＳから番組特定情報（ＰＳＩ：Ｐｒｏｇｒａｍ  Ｓｐｅｃｉｆｉｃ  Ｉｎｆｏｒｍａｔｉｏｎ）及び番組配列情報（サービス情報：ＳＩ：Ｓｅｒｖｉｃｅ  Ｉｎｆｏｒｍａｔｉｏｎ）を抽出し、その各番組情報をメモリに保存する。尚、この場合のメモリは、後述する系列局記憶部１８でもよいし、他の記憶部でもよい。更に抽出されたＰＳＩ／ＳＩから、ＴＳ中の映像ＴＳパケット及び音声ＴＳパケットのＰＩＤ（ＴＳパケット識別子：Ｐａｃｋｅｔ  Ｉｄｅｎｔｉｆｉｅｒ）の値を検出し、ＴＳを各ＰＩＤでフィルタリングして映像ＴＳパケット及び音声ＴＳパケットを分離させて抽出し、映像／音声デコード部１３に出力すると共に、ＰＡＴ（Ｐｒｏｇｒａｍ  Ａｓｓｏｃｉａｔｉｏｎ  Ｔａｂｌｅ）断絶情報、ＰＭＴ（Ｐｒｏｇｒａｍ  Ｍａｐ  Ｔａｂｌｅ）断絶情報、ＴＳ同期はずれ情報、ＴＳパケットの損失情報の各種情報の少なくとも一つを受信不可検出部１６へ出力する。
【０００９】
また、デマルチプレクス部１２は、フィルタリングしたＰＭＴ（Ｐｒｏｇｒａｍ  Ｍａｐ  Ｔａｂｌｅ）に記載されている音声エレメンタリーストリームの個数変化、ＰＩＤ値変化等の構成変化又は字幕ＰＥＳ（Ｐａｃｋｅｔｉｚｅｄ  Ｅｌｅｍｅｎｔａｒｙ  Ｓｔｒｅａｍ）データの有無、個数変化、ＰＩＤ値の変化をコンテンツ切り替わり検出部１９へ出力する。
【００１０】
映像／音声デコード部１３は、映像パケット及び音声パケットから映像のデコード（復号）及び音声のデコードを行い、映像パケットの復号された映像信号を映像表示部１４に出力し、音声パケットの復号された音声信号を音声出力部１５に出力すると共に、デコードエラー検出情報、デコードエラー率情報の各種情報の少なくとも一つを受信不可検出部１６へ出力する。
【００１１】
映像表示部１４は、入力した映像パケットの復号された映像／音声信号データに基づいて画面に映像を表示させる。音声出力部１５は、入力した音声パケットの復号された映像／音声信号データに基づいてスピーカから音声を出力させる。
【００１２】
受信不可検出部１６は、視聴中の番組の放送局からの番組を受信することが不可となる場合を検出する部位である。例えば、車等の移動体に搭載されたり携帯されるデジタル放送受信機では、デジタル放送受信機の受信位置が移動することから、受信位置が視聴中の番組の放送局のサービスエリア外になる場合や、地上の構造物による搬送波の遮断や減衰等の影響等を受ける場合がある。
【００１３】
受信不可検出部１６には、チューナ部１０からＰＬＬロック情報等、復調部１１から受信レベル、受信Ｃ／Ｎ比情報、フレームロック情報、誤り率の情報等、デマルチプレクス部１２からＰＡＴが所定の時間間隔で到来しなかった場合の途絶情報や、ＰＭＴ（Ｐｒｏｇｒａｍ  Ｍａｐ  Ｔａｂｌｅ）が所定の時間間隔で到来しなかった場合の途絶情報や、ＴＳにおいて１８８バイト毎に同期バイトが検出されない場合の同期ロスト情報や、ＴＳのヘッダ中に存在する連続性カウンタ値の不連続を検出した際のパケットロストの情報等、映像／音声デコード部１３からデコードエラー検出時のエラー情報又はエラー率の情報等が入力される。なお上記の各情報は、強階層、弱階層のそれぞれの情報が同時に通知されるのであって、チューナ部１０、復調部１１が、どちらかの階層の情報のみを得るということではない。
【００１４】
その後、受信不可検出部１６は、上記各種情報の少なくとも一つに基づいて受信信号が、現状受信不可状態であることを検出する。具体的には、受信不可検出部１６は、上記した情報又は通知から受信信号が「現状受信不可状態」又は「現状受信不可状態」直前であるか否かを判断し、受信信号が「現状受信不可状態」又は「現状受信不可状態」直前であると判断した場合、受信不可通知を選局制御部１７に送出する。すなわち、受信不可検出部１６は、視聴中の番組の放送局からの受信信号から得られる各種情報に基づき、その放送局からの視聴中の番組の受信信号を受信することが不可状態になったことを検出して受信不可通知を出力する。
【００１５】
選局制御部１７は、以下に示す図２の状態遷移の動作となるように、チューナ部１０への選局指示、デマルチプレクス部１２及び映像／音声デコード部１３に強階層伝送／弱階層伝送の番組切り替え指示を出力する。又、選局制御部１７は、視聴中の番組の放送局の少なくともチャンネル情報を系列局記憶部１８又は他の記憶部に記憶させる。又、受信不可検出部１６から受信不可通知を受信した場合に、後述する系列局記憶部１８から系列放送局のチャンネル情報を検索し、現在位置が受信サービス領域内である場合に受信可能となる系列放送局が記憶されていた場合には、その系列放送局のチャンネル情報に基づく受信信号が「現状受信可状態」か否かを判断し、「現状受信可状態」の場合に系列放送局の番組を視聴し、現在位置が受信サービス領域内である場合に受信可能となる前記系列放送局が記憶されていない場合には、系列放送局をチャンネルサーチするようにチューナ部１０に指示を出力する。又、後述するコンテンツ切り替わり検出部１９からのコンテンツ切り替わり検出通知を受信した場合に、現在位置検出部２０からの現在位置情報と、系列局記憶部１８からの系列局又はＭＦＮのチャンネル情報データベースから選局候補を抽出し、チューナ部１０に選局指示を行う。
【００１６】
系列局記憶部１８は、視聴中の番組の放送局の少なくともチャンネル情報を記憶すると共に、視聴中の番組の放送局の系列放送局がチャンネルサーチで検出された場合に、その系列放送局の少なくともチャンネル情報を前記視聴中の番組の放送局の少なくともチャンネル情報と系列関係であるように関連付けて記憶させる。この系列局記憶部１８には、複数の系列放送局が記憶される場合がある。系列局記憶部１８にチャンネルの異なる複数の同一系列放送局が記憶されている場合には、現在位置検出部２０から選局制御部１７を経由して、位置情報を得て、選局制御部１７に対し、受信可能な放送局のチャンネル情報を出力する。系列局記憶部１８に保存されている情報は、各県域で受信できるトランスポートストリームのＩＤとそれらａｆｆｉｌｉａｔｉｏｎ＿ｉｄ、及び送信周波数などストリームのチャンネル情報、送信電力等である。この情報はダウンロードした周波数リストから抽出したものであってもよいし、移動しながら作成した受信履歴から作成したものであってもよい。さらに各トランスポートストリームＩＤに対して選局優先度を持ち、系列トランスポートストリーム・ＭＦＮトランスポートストリームのサーチの際に優先度順に選局を行う。選局優先度は直近に視聴していたトランスポートストリームの優先度を最高位にしてもよいし、現在位置に最も近いものを最高位としてもよいし、さらに送信所との距離と送信電力を考慮して優先順位付けを行ってもよい。
【００１７】
コンテンツ切り替わり検出部１９は、番組本編とコマーシャルとの切り替わり点、及び番組切り替わり点の検出を行う。デマルチプレクス部１２でフィルタリングしたＰＭＴ（Ｐｒｏｇｒａｍ  Ｍａｐ  Ｔａｂｌｅ）に記載されている音声エレメンタリーストリームの個数変化、ＰＩＤ値変化等の構成変化又は字幕ＰＥＳ（Ｐａｃｋｅｔｉｚｅｄ  Ｅｌｅｍｅｎｔａｒｙ  Ｓｔｒｅａｍ）データの有無、個数変化、ＰＩＤ値の変化の検出を行う。さらにデマルチプレクス部１２から検出した字幕ＰＥＳデータに格納された字幕データの有無の変化を検出する。また映像、音声デコード部１３からの音声モードの変化検出情報を用いて、モノラル、ステレオ、マルチチャンネルステレオのどの音声モードかの把握を行い、音声モードの変化を検出する。また音声出力部１５から一定時間の無音の検出を行い、その前後で平均的な音量の差が大きいところを検出する。以上の情報からコンテンツの内容の変化を検出するが、その時点でコンテンツ切り替わり検出通知を送信してもよいし、さらに次のようにしてコマーシャル期間を確実に特定することもできる。
これらのいずれかが発生した時点でタイマを起動し、次にこれらのいずれかを検出するまでの時間をカウントする。そのカウントした時間が一般的な１コマーシャル時間Ｃ秒（例えば１５秒の倍数など）と等しければ、一つ目のＣＭが終わったと判断し、コマーシャルが続くと想定して次のコマーシャルの間にサーチを実行させるために選局制御部１７にコンテンツ切り替わり検出通知（ＣＭ開始）を送信する。そしてＣ秒を経過した時点でコンテンツ切り替わり検出通知（ＣＭ終了）を送信する。選局制御部１７は、コンテンツ切り替わり検出通知（ＣＭ開始）からコンテンツ切り替わり検出通知（ＣＭ終了）までの間に、強階層の番組を視聴中であれば、系列局・ＭＦＮのトランスポートストリームのサーチを実行する。
また、デマルチプレクス部１２でフィルタリングしたＥＩＴ（Ｅｖｅｎｔ  Ｉｎｆｏｒｍａｔｉｏｎ  Ｔａｂｌｅ）に記載された番組開始時刻、番組終了時刻を用いて、番組の切り替わりを検出し、選局制御部１７にコンテンツ切り替わり検出通知を送信する。また番組開始時刻は事前に取得することができるので番組開始時刻の直前のＤ秒前に選局制御部１７にコンテンツ切り替わり検出通知を送信してもよい。
【００１８】
現在位置検出部２０は、現在受信中のトランスポートストリームのＮＩＴ（Ｎｅｔｗｏｒｋ  Ｉｎｆｏｒｍａｔｉｏｎ  Ｔａｂｌｅ）に記載の地域識別値からその隣接県域を現在位置と推定、又は、ＧＰＳからの位置情報を用いることにより、現在の位置を検出する。
【００１９】
図２は、図１のデジタル放送受信装置における選局制御部１７の選局動作の状態遷移図である。図２において「ＴＳ＿Ａ弱階層視聴５１」は、放送受信装置がトランスポートストリームＡの番組を弱階層視聴している状態であることを示している。「ＴＳ＿Ａ強階層視聴５２」は、放送受信装置がトランスポートストリームＡの番組を強階層視聴している状態であることを示している。「ＴＳ＿Ｂ弱階層視聴５３」は、放送受信装置がトランスポートストリームＢの番組を弱階層視聴している状態であることを示している。「ＴＳ＿Ｂ強階層視聴５４」は、放送受信装置がトランスポートストリームＢの番組を強階層視聴している状態であることを示している。
【００２０】
尚、ＴＳ＿ＡとＴＳ＿Ｂは互いに系列局またはＭＦＮの関係である。ここで系列局は互いに送信周波数（送信物理チャンネル）が異なりかつ内容も異なる。但し同一時刻に同一番組を行っている可能性が高い。またＢＩＴ（Ｂｒｏａｄｃａｓｔｅｒ Ｉｎｆｏｒｍａｔｉｏｎ  Ｔａｂｌｅ）で伝送されるａｆｆｉｌｉａｔｉｏｎ＿ｉｄの値は同一値を有する。一方ＭＦＮは、送信される周波数（送信物理チャンネル）が異なるだけで、番組を含めた中身は全く同一である。従ってａｆｆｉｌｉａｔｉｏｎ＿ｉｄの値も同一である。なお、ａｆｆｉｌｉａｔｉｏｎ＿ｉｄの値はＢＩＴ以外にカルーセル形式で伝送される周波数リスト内にも存在する。周波数リストは全国分の情報が伝送されている。
【００２１】
「系列局サーチ５５」の状態は、それまで受信していたトランスポートストリームと同系列のトランスポートストリームまたはＭＦＮ関係のトランスポートストリームが他チャンネルに送信されていないかをサーチする状態である。
【００２２】
以下に、選局制御部１７の動作を説明する。まず図２、図３を用いて選局制御部１７の動作を説明する。「ＴＳ＿Ａ強階層視聴５２」の状態であるとする（Ｓ３１）。受信不可検出部１６が弱階層伝送の番組が受信可であることを検出し、その通知を選局制御部１７が受信すると（Ｓ３２：ＹＥＳ）、デマルチプレクス部１２及び映像／音声デコード部１３に弱階層切り替えの通知をし、ＴＳ＿Ａの弱階層に切り替え（Ｓ３３）、「ＴＳ＿Ａ弱階層視聴５１」状態に遷移する（Ｓ３４）。ここでチューナ部１０からは強階層データと弱階層のデータは多重されて一つのトランスポートストリームとして出力されているので、チューナ部１０に対しては、特に指示は行う必要はない。「ＴＳ＿Ａの弱階層視聴５１」状態では、「ＴＳ＿Ａの強階層視聴５２」の番組と同一内容の番組の高品質の画音が再生される。受信不可検出部１６が弱階層伝送の番組が受信不可である通知を選局制御部１７に通知した場合は（Ｓ３２：ＮＯ）、ステップＳ３１に戻って、ＴＳ＿Ａ強階層の視聴を続ける。
【００２３】
次に図２、図４を用いて選局制御部１７の動作を説明する。「ＴＳ＿Ａの弱階層視聴５１」の状態であるとする（Ｓ４１）。受信不可検出部１６が弱階層伝送の番組が受信不可であることを検出し、その通知を受信すると（Ｓ４２：ＮＯ）、デマルチプレクス部１２及び映像／音声デコード部１３に強階層切り替えの通知をし、ＴＳ＿Ａの強階層に切り替え（Ｓ４３）、「ＴＳ＿Ａ強階層視聴５２」状態に遷移する（Ｓ４４）。ここでチューナ部１０からは強階層データと弱階層のデータは多重されて一つのトランスポートストリームとして出力されているので、チューナ部１０に対しては、特に指示は行う必要はない。「ＴＳ＿Ａの強階層視聴５２」状態では、「ＴＳ＿Ａの弱階層視聴５１」の番組と同一内容の番組の低品質の画音が再生される。受信不可検出部１６が弱階層伝送の番組が受信不可である通知を選局制御部１７に通知した場合は（Ｓ４２：ＹＥＳ）、ステップＳ４１に戻って、ＴＳ＿Ａ弱階層の視聴を続ける。
【００２４】
次に図２、図５を用いて選局制御部１７の動作を説明する。図２の「ＴＳ＿Ａ強階層視聴５２」状態であるとする（Ｓ１）。
コンテンツ切り替わり検出部１９からのコンテンツ切り替わり検出通知を受信したか否か判断する（Ｓ２）。検出通知を受信しなかった場合（Ｓ２：ＮＯ）にはステップＳ１に戻って「ＴＳ＿Ａ強階層視聴５２」状態のままコンテンツ切り替わり検出通知を受信したか否かの判断を継続する。コンテンツ切り替わり検出通知を受信した場合（Ｓ２：ＹＥＳ）には、同系列の放送局の有無を系列局記憶部１８から検索する(Ｓ３)。系列局記憶部１８に有効な情報が存在していた場合(Ｓ３：ＹＥＳ)、現在位置検出部２０からの現在位置情報を取得（Ｓ４）、系列局記憶部１８を参照し（Ｓ５）、現在地において受信できそうな候補を抽出し（Ｓ６）、段落００１６に記載したような優先順位に従って次の選局候補を選局（Ｓ７）し、受信不可検出部１６にて弱階層が受信可能かを判別する（Ｓ８）。受信可能と判断した場合（Ｓ８：ＹＥＳ）には、「ＴＳ＿Ｂ弱階層視聴５３」状態に遷移し、ＴＳ＿Ｂの高品質の同一番組を表示する（Ｓ９）。受信不可検出部１６にて弱階層が受信不可だった場合（Ｓ８：ＮＯ）、強階層が受信可能か判断する（Ｓ１０）。受信可と判断した場合（Ｓ１０：ＹＥＳ）には「ＴＳ＿Ｂ強階層視聴５４」状態に遷移し、ＴＳ＿Ｂの低品質の同一番組を表示する（Ｓ１１）。受信不可検出部１６にて強階層が受信不可と判断した場合には、（Ｓ１０：ＮＯ）全候補が選局済みで全て受信不可だったかを判断（Ｓ１２）する。
【００２５】
全候補の選局がまだ完了していない場合（Ｓ１２：ＮＯ）、サーチ時間のタイムアウト通知がコンテンツ切り替わり検出部１９から通知されたかどうか判別を行う（Ｓ１３）。タイムアウト通知を受信していなければ（Ｓ１３：ＮＯ）、ステップＳ７に戻り優先順位に従って選局候補を選局する。全候補を選局しても系列局、ＭＦＮのトランスポートストリームが受信できなかった場合（Ｓ１２：ＹＥＳ）または、コンテンツ切り替わり検出部１９からのタイムアウト通知を受信した場合（Ｓ１３：ＹＥＳ）は、系列局、ＭＦＮサーチを強制終了し、ステップＳ１に戻り、「ＴＳ＿Ａ強階層視聴５２」状態に戻る。タイムアウト通知は単純な時間経過であってもよいし、コマーシャル終了の検出によるコンテンツ切り替わり検出通知（ＣＭ終了）であってもよい。
【００２６】
一方、ステップＳ３で、系列局記憶部１８に有効な情報が存在していなかった場合(Ｓ３：ＮＯ)、例えば最も小さな周波数のチャンネルを選局する（Ｓ１４）。そして、チャンネル数を順に足して選局を行い、同一のａｆｆｉｌｉａｔｉｏｎ＿ｉｄの値を持つ系列局又はＭＦＮのトランスポートストリームをサーチする。
【００２７】
この選局の結果、受信不可検出部１６にて弱階層が受信可能かどうかを判別する（Ｓ１５）。受信可能と判断した場合（Ｓ１５：ＹＥＳ）には、さらにａｆｆｉｌｉａｔｉｏｎ＿ｉｄの値が同一か判断し（Ｓ１６）、同一であれば（Ｓ１６：ＹＥＳ）、「ＴＳ＿Ｂ弱階層視聴５３」状態に遷移し、ＴＳ＿Ｂの高品質の同一番組を表示する（Ｓ９）。
受信不可検出部１６にて弱階層が受信不可だった場合（Ｓ１５：ＮＯ）、強階層の受信可否判断を行う（Ｓ１７）。強階層が受信可と判断した場合（Ｓ１７：ＹＥＳ）にはさらにａｆｆｉｌｉａｔｉｏｎ＿ｉｄの値が同一か判断し（Ｓ１８）、同一であれば（Ｓ１８：ＹＥＳ）「ＴＳ＿Ｂ強階層視聴５４」状態に遷移し、ＴＳ＿Ｂの低品質の同一番組を表示する（Ｓ１１）。
【００２８】
受信不可検出部１６にて弱階層が受信不可（Ｓ１５：ＮＯ）かつ強階層が受信不可と判断した（Ｓ１７：ＮＯ）場合には、全候補が選局済みで全て受信不可だったかどうか判別する（Ｓ１９）。全候補の選局がまだ完了していない場合（Ｓ１９：ＮＯ）、サーチ時間のタイムアウト通知がコンテンツ切り替わり検出部１９から通知されたかどうか判別を行う（Ｓ２０）。タイムアウト通知を受信していなければ（Ｓ２０：ＮＯ）、次の候補の選局を行うためチャンネルを１つプラスして選局（Ｓ２１）し、ステップＳ１５に戻る。ステップＳ１９で全候補選局済みの場合（Ｓ１９：ＹＥＳ）は、もとの「ＴＳ＿Ａ強階層視聴５２」状態に戻る（Ｓ１）。
【００２９】
ステップＳ２０でタイムアウト通知を受信した場合（Ｓ２０：ＹＥＳ）は、もとの「ＴＳ＿Ａ強階層視聴５２」状態に戻る（Ｓ１）。タイムアウト通知は単純な時間経過であってもよいし、コマーシャル終了の検出によるコンテンツ切り替わり検出通知（ＣＭ終了）であってもよい。
ステップＳ１６でａｆｆｉｌｉａｔｉｏｎ＿ｉｄの値が同一でなかった場合（Ｓ１６：ＮＯ）、ステップ１８でａｆｆｉｌｉａｔｉｏｎ＿ｉｄの値が同一でなかった場合（Ｓ１８：ＮＯ）は、次の候補の選局を行うためチャンネルを１つプラスして選局（Ｓ２１）し、ステップＳ１５に戻る。
【００３０】
本実施の形態では、低品質の強階層の番組を視聴している場合に、コンテンツの内容の変化を検出することにより、それまで視聴していたチャンネルと別チャンネルの系列局又はＭＦＮ（Ｍｕｌｔｉ―Ｆｒｅｑｕｅｎｃｙ  Ｎｅｔｗｏｒｋ）のトランスポートストリームを選局するようにしたので、ユーザに番組の強制中断による不快感を与えずに、同一番組に切り替えることができる。
【００３１】
また本実施の形態では、コンテンツ切り替わり検出部によりコンテンツの内容の変化を検出するようにし、その検出により選局制御部が系列局記憶部を参照し、現在位置から受信できそうな候補だけに絞り込み、それまで視聴していたチャンネルと別チャンネルの系列局又はＭＦＮのトランスポートストリームを優先度順に選局することでサーチするようにしたので、短時間で系列局、ＭＮＦのトランスポートストリームの検索ができ、ユーザの番組視聴の強制中断による不快感を与えずに高速に同一番組を探し出すことができる。
【００３２】
また本実施の形態では、コンテンツ切り替わり検出部がコンテンツ切り替えを検出した際に、低品質の強階層を視聴していた場合に、他のチャンネルで送信されている系列局またはＭＦＮのトランスポートストリームを選局しその中の高品質の番組が伝送されている弱階層の番組を選局、表示するようにしたのでユーザに番組視聴の強制中断による不快感を与えずに、より高品質の番組を提供することができる。
【００３３】
また本実施の形態では、コンテンツ切り替え検出部はコマーシャルの開始、終了及び番組の開始、終了を検出するようにしたのでユーザの番組本編の視聴を中断せずに自動的に系列局、ＭＦＮのチャンネルをサーチ、選局することができる。
【００３４】
また本実施の形態では、コンテンツ切り替え検出部は事前にＥＩＴ（Ｅｖｅｎｔ  Ｉｎｆｏｒｍａｔｉｏｎ  Ｔａｂｌｅ）から番組開始時刻、終了時刻を把握するようにしたので、番組の開始の直前に選局制御部にコンテンツ切り替え検出通知を送信でき、番組本編が始まる前に系列局、ＭＦＮのトランスポートストリームに切り替えることにより、ユーザの番組視聴の強制中断による不快感を与えずに系列局またはＭＦＮのトランスポートストリームに切り替えることができる。
【００３５】
また本実施の形態では、現在位置から系列局記憶部を検索し、現在位置で受信の可能性の高いもののみに選局候補を絞り込み優先順に従って選局を行うので、コマーシャルや番組開始の直前の短時間に系列局、ＭＦＮのチャンネルサーチを効率よく実行することができる。
【図面の簡単な説明】
【００３６】
【図１】この発明の実施の形態１に係るデジタル放送受信機の概略の内部構成を示すブロック図である。
【図２】図１のデジタル放送受信装置における選局制御部７の選局動作の状態遷移図である。
【図３】この発明の実施の形態１における選局制御部７の動作フロー図である。
【図４】この発明の実施の形態１における選局制御部７の動作フロー図である。
【図５】この発明の実施の形態１における選局制御部７の動作フロー図である。
【符号の説明】
【００３７】
１０  チューナ部
１１  復調部
１２  デマルチプレクス部
１３  映像、音声デコード部
１４  映像表示部
１５  音声出力部
１６  受信不可検出部
１７  選局制御部
１８  系列局記憶部
１９  コンテンツ切り替わり検出部
２０  現在位置検出部
５１  「ＴＳ＿Ａ弱階層視聴」状態
５２  「ＴＳ＿Ａ強階層視聴」状態
５３  「ＴＳ＿Ｂ弱階層視聴」状態
５４  「ＴＳ＿Ｂ強階層視聴」状態
５５  「系列局サーチ」状態
【図１】
0005205831.tif 000002
【図２】
0005205831.tif 000003
【図３】
0005205831.tif 000004
【図４】
0005205831.tif 000005
【図５】
0005205831.tif 000006